(57)【要約】【課題】荷重を受けた際に破損することを抑制できる照明装置を提供する。【解決手段】照明装置は、表示面となる側面を有した表示部と、前記表示部の上面に連結され、前記表示面に対して直交する方向の柔軟性が前記表示面の柔軟性よりも高い保持部と、を備えた。当該構成よれば、保持部において、表示面に対して直交する方向の柔軟性が表示面よりも高い。この場合、荷重を受けた際に保持部が変形する。当該変形により、表示部に発生する応力が低減される。このため、照明装置が荷重を受けた際に照明装置が破損することを抑制できる。【選択図】図４
2016115509.tif 000002
【特許請求の範囲】
【請求項１】
表示面となる側面を有した表示部と、
前記表示部の上面に連結され、前記表示面に対して直交する方向の柔軟性が前記表示面の柔軟性よりも高い保持部と、
を備えた照明装置。
【請求項２】
前記保持部は、上端部が固定物に固定された際に前記表示部との連結部から前記固定物との固定部までの距離の値が自らの中心から前記表示面に対して直交する方向にある面と前記表示部の上面との交わり部までの距離の値に前記表示部に対する許容傾斜角度の正接を乗じた値以下となるように設定された請求項１に記載の照明装置。
【請求項３】
前記保持部は、前記表示部の縦弾性係数よりも小さい縦弾性係数の部材で形成された請求項１または請求項２に記載の照明装置。
【請求項４】
前記表示部の上面において前記表示面に対して直交する方向の側の縁部に設けられ、前記表示部の縦弾性係数よりも小さい縦弾性係数の部材で形成された突き当て部、
を備えた請求項１から請求項３のいずれか一項に記載の照明装置。
【請求項５】
前記表示部は、前記表示面に対して直交する方向において縁部よりも中央部が下方に凹んだ凹部を有した上面を有し、
前記保持部は、前記凹部の底面に連結された下端部を有した請求項１から請求項３のいずれか一項に記載の照明装置。
【請求項６】
前記表示部は、
ＥＬシートで形成された発光部と、
前記発光部の上端部を露出させた状態で前記発光部の表面の側に設けられ、前記表示面となる表面板と、
前記発光部の上端部を露出させた状態で前記発光部の裏面の側に設けられた裏面板と、
を備え、
前記保持部は、前記発光部の上端部で形成された請求項１から請求項５のいずれか一項に記載の照明装置。
【請求項７】
前記保持部は、紐状の部材で形成された請求項１または請求項２に記載の照明装置。
【請求項８】
前記保持部は、鎖状の部材で形成された請求項１または請求項２に記載の照明装置。
【請求項９】
前記保持部は、繊維で形成された請求項１または請求項２に記載の照明装置。
【請求項１０】
前記保持部の上方において前記保持部の上端部に連結され、前記保持部の上端部との連結面が前記表示部の縦弾性係数よりも小さい縦弾性係数の部材で形成されたベース部、
を備えた請求項１から請求項９のいずれか一項に記載の照明装置。
【発明の詳細な説明】
【技術分野】
【０００１】
この発明は、照明装置に関する。
【背景技術】
【０００２】
特許文献１は、照明装置を開示する。例えば、照明装置の外殻は、熱可塑性樹脂で形成される。当該照明装置は、天井等に吊り下げられる。当該照明装置は、避難指示の際の誘導灯等として利用される。
【先行技術文献】
【特許文献】
【０００３】
【特許文献１】特開２０１４−７８５３４号公報
【発明の概要】
【発明が解決しようとする課題】
【０００４】
しかしながら、特許文献１のものにおいて、外郭は、風等からの荷重を繰り返し受けた際に破損することもある。この場合、照明装置が落下し得る。
【０００５】
この発明は、上述の課題を解決するためになされた。この発明の目的は、荷重を受けた際に破損することを抑制できる照明装置を提供することである。
【課題を解決するための手段】
【０００６】
この発明に係る照明装置は、表示面となる側面を有した表示部と、前記表示部の上面に連結され、前記表示面に対して直交する方向の柔軟性が前記表示面の柔軟性よりも高い保持部と、を備えた。
【発明の効果】
【０００７】
この発明によれば、保持部において、表示面に対して直交する方向の柔軟性は、表示面の柔軟性よりも高い。この場合、荷重を受けた際に保持部が変形する。当該変形により、表示部に発生する応力が低減される。このため、照明装置が荷重を受けた際に照明装置が破損することを抑制できる。
【図面の簡単な説明】
【０００８】
【図１】この発明の実施の形態１における照明装置の斜視図である。
【図２】この発明の実施の形態１における照明装置の側面図である。
【図３】この発明の実施の形態１における照明装置の側面図である。
【図４】図３の拡大図である。
【図５】この発明の実施の形態２における照明装置の側面図である。
【図６】この発明の実施の形態３における照明装置の側面図である。
【図７】この発明の実施の形態４における照明装置の斜視図である。
【図８】この発明の実施の形態５における照明装置の斜視図である。
【図９】この発明の実施の形態６における照明装置の斜視図である。
【図１０】この発明の実施の形態７における照明装置の斜視図である。
【図１１】この発明の実施の形態８における照明装置の斜視図である。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１における照明装置の斜視図である。
【００１１】
図１に示すように、照明装置は、表示部１と保持部２とを備える。
【００１２】
表示部１は、直方体状に形成される。表示部１の上面は、水平面からなる。例えば、表示部１は、図示しないＬＥＤ等の光源等を収納する。例えば、表示部１の外殻は、熱可塑性樹脂で形成される。例えば、表示部１の外殻は、ポリカーボネートで形成される。例えば、表示部１の外殻は、アクリル樹脂で形成される。例えば、表示部１の外殻は、ＡＥＳ樹脂で形成される。表示部１は、表示面１ａとなる側面を有する。例えば、ピクトグラムは、表示面１ａに記載される。
【００１３】
保持部２は、表示部１の上面に連結される。例えば、一対の保持部２は、表示面１ａに沿った方向に並ぶ。保持部２は、変形しやすい部材で形成される。例えば、保持部２は、表示部１の縦弾性係数よりも小さい縦弾性係数の部材で形成される。例えば、保持部２は、円柱状のゴムで形成される。
【００１４】
照明装置において、光源が光を発すると、当該光は、表示面１ａを透過する。その結果、ピクトグラムは、外部に対して明確に表示される。このため、照明装置は、避難指示の際の誘導灯等として利用される。
【００１５】
次に、図２を用いて、照明装置の寸法の設定を説明する。
図２はこの発明の実施の形態１における照明装置の側面図である。
【００１６】
図２に示すように、保持部２の上端部は、固定物に固定される。例えば、保持部２の上端部は、天井３に固定される。その結果、照明装置は、天井３に吊り下げられる。
【００１７】
保持部２において、ｘ（ｍｍ）は、天井３に固定された際に表示部１との連結部から天井３までの距離である。ａ（ｍｍ）は、保持部２の中心から表示部１に対して直交する方向にある面と表示部１の上面との交わり部までの距離である。
【００１８】
照明装置において、表示部１に対する許容傾斜角度はθ（ｒａｄ）に設定される。θは、０以上π／２以下の値をとり得る。θは、表示面１ａの視認性を維持し得る値に設定される。この際、ｘは、ａ・ｔａｎθ以下となるように設定される。
【００１９】
次に、図３と図４とを用いて、照明装置が荷重を受けた際の状況を説明する。
図３はこの発明の実施の形態１における照明装置の側面図である。図４は図３の拡大図である。
【００２０】
図３に示すように、照明装置は、表示面１ａ対して直交する荷重を風等から受ける。例えば、駅のホームにおいて、照明装置は、表示面１ａ対して直交する荷重を電車が走行により発生する風から繰り返し受ける。この際、保持部２が弾性変形する。その結果、表示部１が傾く。表示部１がθだけ傾くと、表示部１の上面において、表示面１ａの側とは反対側の縁部が突き当て部１ｂとなって天井３に突き当たる。このため、表示部１は、θ以上傾くことを抑制される。
【００２１】
以上で説明した実施の形態１によれば、保持部２において、表示面１ａに対して直交する方向の柔軟性は、表示面１ａの柔軟性よりも高い。この場合、荷重を受けた際に保持部２が弾性変形する。当該弾性変形により、表示部１に発生する応力が低減される。このため、照明装置が荷重を受けた際に照明装置が疲労破壊により破損することを抑制できる。例えば、表示部１に割れ等が発生することを抑制できる。その結果、照明装置の寿命を延ばすことができる。
【００２２】
また、保持部２は、表示部１との連結部から天井３までの距離の値が自らの中心から表示面１ａに対して直交する方向にある面と表示部１の上面との交わり部までの距離の値に表示部１に対する許容傾斜角度の正接を乗じた値以下となるように設定される。このため、表示面１ａが直交する方向の荷重を受けた際に突き当て部１ｂが天井３に突き当たることにより、表示部１は、θ以上傾くことを抑制される。その結果、表示面１ａが風からの荷重を常に受ける環境においても、表示面１ａの視認性を維持することができる。
【００２３】
なお、図３の荷重の方向とは反対からの荷重に対しては、表示部１の上面において、表示面１ａの側の縁部が突き当て部１ｂとなって天井３に突き当たる。このため、表示部１は、予め設定された角度以上傾くことを抑制される。
【００２４】
また、保持部２は、表示部１の縦弾性係数よりも小さい縦弾性係数の部材で形成される。このため、表示部１に発生する応力をより確実に低減することができる。
【００２５】
実施の形態２．
図５はこの発明の実施の形態２における照明装置の側面図である。なお、実施の形態１と同一又は相当部分には、同一符号が付される。当該部分の説明は省略される。
【００２６】
実施の形態１の突き当て部１ｂは、表示部１の縁部で形成される。これに対し、実施の形態２の突き当て部１ｂは、表示部１の縁部で形成されない。実施の形態２の突き当て部１ｂは、他の部材で形成される。
【００２７】
実施の形態２の突き当て部１ｂは、表示部１の縦弾性係数よりも小さい縦弾性係数の部材で形成される。例えば、実施の形態２の突き当て部１ｂは、ゴムで形成される。実施の形態２の突き当て部１ｂは、表示部１の上面において表示面１ａの側とは反対側の縁部に設けられる。実施の形態２の突き当て部１ｂは、表示部１の上面において表示面１ａの側の縁部に設けられることもある。
【００２８】
以上で説明した実施の形態２によれば、突き当て部１ｂは、表示部１の縦弾性係数よりも小さい縦弾性係数の部材で形成される。このため、突き当て部１ｂが天井３に突き当たる際に表示部１に発生する応力をより確実に低減することができる。
【００２９】
実施の形態３．
図６はこの発明の実施の形態３における照明装置の側面図である。なお、実施の形態１と同一又は相当部分には、同一符号が付される。当該部分の説明は省略される。
【００３０】
実施の形態１の表示部１の上面は水平面からなる。これに対し、実施の形態３の表示部１の上面は水平面からならない。
【００３１】
実施の形態３の表示部１の上面は、２つの傾斜面を備える。実施の形態３の表示部１の上面は、表示面１ａに対して直交する方向において縁部よりも中央部が下方に凹んだ凹部１ｃを有する。実施の形態３において、保持部２の下端部は、表示部１の凹部１ｃの底面に連結される。
【００３２】
以上で説明した実施の形態３によれば、表示部１の上面は、表示面１ａに対して直交する方向において縁部よりも中央部が下方に凹んだ凹部１ｃを有する。保持部２の下端部は、表示部１の凹部１ｃの底面に連結される。このため、保持部２の高さ方向の寸法を長くすることができる。その結果、保持部２の柔軟性をより高めることができる。
【００３３】
実施の形態４．
図７はこの発明の実施の形態４における照明装置の斜視図である。なお、実施の形態１と同一又は相当部分には、同一符号が付される。当該部分の説明は省略される。
【００３４】
実施の形態４の表示部１は、発光部４と表面板５と裏面板６と上側固定部７と下側固定部８とを備える。
【００３５】
発光部４は、矩形状のＥＬ（エレクトロルミネッセンス）シートで形成される。表面板５は、矩形状の熱可塑性樹脂で形成される。表面板５は、表示面１ａとなる。表面板５の幅は、発光部４の幅とほぼ同じに設定される。表面板５は、発光部４の上端部を露出させた状態で前記発光部４の表面の側に設けられる。裏面板６は、矩形状の熱可塑性樹脂で形成される。裏面板６の幅は、発光部４の幅とほぼ同じに設定される。裏面板６は、発光部４の上端部を露出させた状態で発光部４の裏面の側に設けられる。上側固定部７は、環状に形成される。上側固定部７は、発光部４の上端部を露出させた状態で表面板５の上縁部と裏面板６の上縁部とを挟み込む。下側固定部８は、環状に形成される。下側固定部８は、表面板５の下縁部と裏面板６の下縁部とを挟み込む。
【００３６】
実施の形態４の保持部２は、表示部１の一部で形成される。具体的には、実施の形態４の保持部２は、発光部４の一部で形成される。実施の形態４の突き当て部１ｂは、上側固定部７の縁部で形成される。
【００３７】
以上で説明した実施の形態４によれば、保持部２は、表示部１の一部で形成される。このため、表示部１とは別の部材で保持部２を形成する必要がない。その結果、照明装置を安価に製作することができる。
【００３８】
実施の形態５．
図８はこの発明の実施の形態５における照明装置の斜視図である。なお、実施の形態１と同一又は相当部分には、同一符号が付される。当該部分の説明は省略される。
【００３９】
実施の形態１の保持部２は、円柱状のゴムで形成される。これに対し、実施の形態５の保持部２は、紐状の部材で形成される。
【００４０】
以上で説明した実施の形態５によれば、保持部２は、紐状の部材で形成される。保持部２において、表示面１ａに対して直交する方向の柔軟性は、表示面１ａの柔軟性よりも高い。この場合、荷重を受けた際に保持部２が変形する。当該変形により、表示部１に発生する応力が低減される。このため、照明装置が荷重を受けた際に照明装置が疲労破壊により破損することを抑制できる。例えば、表示部１に割れ等が発生することを抑制できる。
【００４１】
実施の形態６．
図９はこの発明の実施の形態６における照明装置の斜視図である。なお、実施の形態１と同一又は相当部分には、同一符号が付される。当該部分の説明は省略される。
【００４２】
実施の形態１の保持部２は、円柱状のゴムで形成される。これに対し、実施の形態６の保持部２は、鎖状の部材で形成される。
【００４３】
以上で説明した実施の形態６によれば、保持部２は、鎖状の部材で形成される。保持部２において、表示面１ａに対して直交する方向の柔軟性は、表示面１ａの柔軟性よりも高い。この場合、荷重を受けた際に保持部２が変形する。当該変形により、表示部１に発生する応力が低減される。このため、照明装置が荷重を受けた際に照明装置が疲労破壊により破損することを抑制できる。例えば、表示部１に割れ等が発生することを抑制できる。
【００４４】
実施の形態７．
図１０はこの発明の実施の形態７における照明装置の斜視図である。なお、実施の形態１と同一又は相当部分には、同一符号が付される。当該部分の説明は省略される。
【００４５】
実施の形態１の保持部２は、円柱状のゴムで形成される。これに対し、実施の形態７の保持部２は、繊維で形成される。実施の形態７の保持部２は、表示面１ａに沿った方向に表示部１の上面の一側から他側にわたって設けられる。なお、保持部２は、シート状のゴムで形成されてもよい。
【００４６】
以上で説明した実施の形態７によれば、保持部２は、繊維で形成される。保持部２において、表示面１ａに対して直交する方向の柔軟性は、表示面１ａの柔軟性よりも高い。この場合、荷重を受けた際に保持部２が変形する。当該変形により、表示部１に発生する応力が低減される。このため、照明装置が荷重を受けた際に照明装置が疲労破壊により破損することを抑制できる。例えば、表示部１に割れ等が発生することを抑制できる。
【００４７】
実施の形態８．
図１１はこの発明の実施の形態８における照明装置の斜視図である。なお、実施の形態１と同一又は相当部分には、同一符号が付される。当該部分の説明は省略される。
【００４８】
実施の形態８の照明装置は、実施の形態１の照明装置にベース部９を付加したものである。例えば、ベース部９は、直方体状に形成される。例えば、ベース部９は、電源等の照明装置の部材を収納する。ベース部９は、保持部２の上方に設けられる。ベース部９の下面は、保持部２の上端部との連結面となる。例えば、ベース部９の下面は、表示部１の縦弾性係数よりも小さい縦弾性係数の部材で形成される。
【００４９】
実施の形態８においては、照明装置が表示面１ａの側から表示面１ａ対して直交する荷重を風等から受けると、保持部２が変形する。その結果、表示部１が傾く。表示部１がθだけ傾くと、表示部１の上面において、表示面１ａの側とは反対側の縁部が突き当て部１ｂとなってベース部９の下面に突き当たる。このため、表示部１は、θ以上傾くことを抑制される。
【００５０】
以上で説明した実施の形態８によれば、ベース部９において、保持部２の上端部との連結面は、表示部１の縦弾性係数よりも小さい縦弾性係数の部材で形成される。このため、突き当て部１ｂがベース部９に突き当った際に照明装置が破損することをより確実に抑制できる。
【００５１】
また、実施の形態１と実施の形態２と実施の形態３と実施の形態５と実施の形態６と実施の形態８とにおいて、表示部１の上面の四隅に保持部２を設けてもよい。この場合も、荷重を受けた際に保持部２が変形する。当該変形により、表示部１に発生する応力が低減される。このため、照明装置が荷重を受けた際に照明装置が破損することを抑制できる。
【符号の説明】
【００５２】
１  表示部、  １ａ  表示面、  １ｂ  突き当て部、  １ｃ  凹部、  ２  保持部、  ３  天井、  ４  発光部、  ５  表面板、  ６  裏面板、  ７  上側固定部、  ８  下側固定部、  ９  ベース部
【図１】
2016115509.tif 000003
【図２】
2016115509.tif 000004
【図３】
2016115509.tif 000005
【図４】
2016115509.tif 000006
【図５】
2016115509.tif 000007
【図６】
2016115509.tif 000008
【図７】
2016115509.tif 000009
【図８】
2016115509.tif 000010
【図９】
2016115509.tif 000011
【図１０】
2016115509.tif 000012
【図１１】
2016115509.tif 000013